(57)【要約】【課題】切断する場含同一表面が互いに粘着することなく、且つ切断が容易であり、剥離紙などの剥離層を省＜ため使用上便利であり、製造コストを節減することができ、ひいては環境保全の観念にも符合する積層体を提供する。【解決手段】紙質材を印刷紙とし、該印刷紙表面に印刷を行った後耐浸水効果を備えるＢＯＰＰフィルムを貼着し、該ＢＯＰＰフィルムは横幅の範囲内において適宜な形状の溝もしくは開口、もしくはＶ字状の溝を形成してなり、該印刷紙の上面には粘着材層を形成してＢＯＰＰフィルムを貼着し、下面には粘着材層表面が互いに粘着することを防ぐとともに剥離紙などによる剥離層を省くために粘着性を調整した粘着材層を形成する。【選択図】　図４
2004082363.tif 000002
【特許請求の範囲】
【請求項１】
耐浸水性を備えると共に切断が容易な積層体であって、紙質材を印刷紙とし、該印刷紙表面に印刷を行った後、耐浸水効果を備える二軸延伸ポリプロピレンフィルムを貼着し、
該二軸延伸ポリプロピレンフィルムは横幅の範囲内において適宜な形状の溝もしくは開口、あるいはＶ字状の溝を形成してなり、
該印刷紙の上面には粘着材層を形成して二軸延伸ポリプロピレンフィルムを貼着し、下面には粘着材層表面が互いに粘看することを防ぐとともに剥離紙などによる剥離層を省＜ために粘着性を調整した粘着材層を形成することを特徴とする積層体。
【発明の詳細な説明】
【０００１】
【発明の属する技術分野】
この発明は耐浸水性を備え、且つ切断し易い積層体に関し、特に剥離紙などの剥離層を設ける必要がなく、使用上においては剥離層を剥がす操作と時間を省くことができて便利であり、製造上においては製造コストを低滅させ、且つ環境保全の観念に符合する積層体に関する。
【０００２】
【従来の技術】
従来の積層体を図１に示す。従来の積層体は、例えば紙材を印刷紙（１）とするため表面に任意に印刷することができ、且つ切断し易くなっている。
【０００３】
但し、従来の積層体は、日本国特許第２９９７７９８号「厚さが薄い積層体」に開示されているように、溝（５ａ）、開口（５ｂ）、Ｖ字状の溝（８ａ）等の構造を備えていない。また、紙材自身は弾性としなやかさに欠けるため、使用に際して従来の積層体を手で適宜な長さにちぎって切断する場合、直線状に揃った切断線を得ることができない。また、手で切断する場合は必要とする長さを正確に得ることが難しい。また使用時には、先に剥離紙等の剥離層を剥がさなくてはならない。剥離層を備えることは製造材料の節減にならない。さらに粘着材層の粘着性が強すぎるため、剥離層を手で切断する場含、積層体がねじれ、積層体の同一表面が互いに粘看する状現が容易に発生する。
【０００４】
また、前述の構造は耐浸水性に欠ける。耐浸水性の効果を持たせるのであれば、図２に示すように、印刷紙（１）の表層に粘着材層（２）を塗布して形成し、さらにフィルム（１ａ）を貼着しなければならない。図３に示すように、このような構造は、従来の積層体の欠点である耐浸水性の間題を改善することはできるが、但し、却って手で切断し難くなる。よって耐浸水性を強めると使用上却って不便になり、切断を容易にすると耐浸水性に欠けるという問題点がある。
【０００５】
【発明が解決しようとする課題】
この発明は、従来の積層体に見られる上記問題点を改善するものであって、特に粘着枕層の粘着性を改善し、切断する場合、同一表面が互いに粘着することなく、耐浸水性を備え、切断が容易で、且つ製造コストを節減し、ひいては環境保全の観念にも符合する積層体を提供することを課題とする。
【０００６】
【課題を解決するための手段】
そこで、本発明者は、従来の技術にみられる問題点に鑑み鋭意研究を重ね、印刷紙の上面に粘着材を介して二軸延伸ポリプロピレンフィルム（以下、ＢＯＰＰフィルムと略称する）を貼着し、下面に粘着性を調整した接着剤層を形成するとともに、該ＢＯＰＰフィルムに開口、若しくは溝を形成する積層体の構造によって課題を解決できることに着目し、かかる見地に基づき本発明を完成させた。
【０００７】
即ち、印刷紙の下面に形成する粘着材層の粘着性を調整することによって、従来の技術における剥離紙などの剥離層を省＜ことができ、使用上便利であるのみならず、剥離層を省くことによって生産コストを低減させることができる。
【０００８】
以下に詳述する。
請求項１に記載する積層体は、耐浸水性を備え、切断が容易な積層体であって、紙質材を印刷紙とし、該印刷紙表面に印刷を行った後、耐浸水効果を備えるＢＯＰＰフィルムを貼着し、該ＢＯＰＰフィルムは横幅の範囲内において適宜な形状の溝、もしくは開口、もしくはＶ字状の溝を形成してなり、該印刷紙の上面には粘着材層を形成してＢＯＰＰフィルムを貼着し、下面には粘着材層表面が互いに粘着することを防ぐとともに剥離紙などによる剥離層を省くために粘着性を調整した粘着材層を形成する。
【０００９】
【発明の実施の形態】
この発明は、耐浸水性を備え、切断が容易な積層体に関し、印刷紙の上面に粘着材層を介してＢＯＰＰフィルムを貼着し、下面に粘着性を調整した粘着材層を形成する。
かかる積層体の構造と特徴を詳述するために、具体的な実施例を挙げ、図面を参照しながら以下に説明する。
【００１０】
この発明による積層体は、耐浸水性を備え、切断しやすい特徴を備える。即ち、図３において、印刷紙（１）の下面に粘着材層（２）を形成する。該印刷紙（１）下面に形成する粘着材層（２）は、粘着度が若干弱くなるように粘着性を調整し、積層体を手で切断する場合、粘着材層（２）の表面が互いに粘着し難くなるようにする。該印刷紙の上面には粘着材層（４）を形成し、さらにＢＯＰＰフィルムを貼着して耐浸水性の効果を達成する。該印刷紙（１）は、表面に印刷できる一般の紙材でよいが、好ましくはラベル紙を用いる。また該ＢＯＰＰフィルム（５）は、図４および図５に示すように、ＢＯＰＰフィルム（５）の横幅の範囲内に於いて矩形を呈する溝（５ａ）を適宜な間隔で長手方向に複数形成する。この発明による積層体を適宜な長さに千切って切断する場合、該複数の溝（５ａ）の任意の一を選択し、該選択した溝（５ａ）に沿って切断する。このため切断が容易になる。
【００１１】
前記溝（５ａ）は、図６および図７に示すように、円形の開口（５ｂ）としてもよい。この場含も同様に切断を容易にする効果が得られる。
【００１２】
図４における積層体の他の実施熊様を図８に示す。即ち、印刷紙（１）と粘着材層（４）を省き、別途ＢＯＰＰフィルム（５）の表層に印刷が可能な印刷加工層（６）を塗布して形成する。このため積層体全体の構造にプリントパターンを増加させることができ、美観を得ることができる。
【００１３】
図４における積層体のその他の実施態様を、図９に示す。即ち、ＢＯＰＰフィルム（５）の上下面にそれぞれ粘着材層（２）を形成して構成する。
【００１４】
以上は、この発明の好ましい実施例であって、この発明の実施の範囲を限定するものではない。よって当業者のなし得る変更もしくは修正であって、この発明の精神の下においてなされ、且つこの発明に対して均等の効果を有するものは、いずれもこの発明の技術的範囲に属するものとする。
【００１５】
【発明の効果】
この発明による積層体は、耐浸水性を備え、切断する場含同一表面が互いに粘着することなく、且つ切断が容易あり、剥離紙などの剥離層を省＜ため使用上便利である。また、剥雛層を省＜ため製造コストを節減することができ、ひいては環境保全の観念にも符合する。
【図面の簡単な説明】
【図１】従来の積層体の構造を表わす断面図である
【図２】従来の積層体のその他の構造を表わす断面図である。
【図３】従来の積層体の更にその他の構造を表わす断面図である。
【図４】この発明による積層体の一実施例を示す部分斜視図である。
【図５】図４の積層体の部分拡大図である。
【図６】この発明による積層体の他の実施例を表わす部分斜視図である。
【図７】図６に開示する積層体の局分拡大図である。
【図８】この発明による積層体の又別の実施例の構造を表わす断面図である。
【図９】この発明による積層体の更に別の実施例の構造を表わす断面図である。
【符号の説明】
１　印刷紙
１ａ　フィルム
２　粘着材層
４　粘着材層
５　ＢＯＰＰフィルム
５ａ　溝
５ｂ　開口
６　印刷加工層
【図１】
2004082363.tif 000003
【図２】
2004082363.tif 000004
【図３】
2004082363.tif 000005
【図４】
2004082363.tif 000006
【図５】
2004082363.tif 000007
【図６】
2004082363.tif 000008
【図７】
2004082363.tif 000009
【図８】
2004082363.tif 000010
【図９】
2004082363.tif 000011